(57)【特許請求の範囲】
【請求項１】
複数本の導電路本体を絶縁層で包囲した形態の複数本の被覆導体と、
複数の前記絶縁層の外周に個別に固定して設けられ、前記導電路本体との間に個別にコンデンサを形成する複数の導電体と、
保持部を有する位置決め部材と、
前記保持部に形成され、前記複数本の被覆導体を位置決め状態で個別に保持する複数の円弧状の位置決め凹部と、
前記複数の導電体に個別に接続され、前記位置決め部材に固定された複数のインダクタと、
前記インダクタに形成され、前記位置決め凹部の内周面上において円弧状に露出する接続部とを備え、
前記被覆導体が前記位置決め凹部に保持された状態で、前記接続部が前記導電体と接触するノイズフィルタ付き導電路。
【請求項２】
前記インダクタが、前記接続部を有する接続導体と、前記接続導体を包囲する磁性体コアとを備えて構成されている請求項１に記載のノイズフィルタ付き導電路。
【請求項３】
前記インダクタが、隣り合う２本の前記被覆導体の間に配されている請求項１又は請求項２に記載のノイズフィルタ付き導電路。
【発明の詳細な説明】
【技術分野】
【０００１】
本発明は、ノイズフィルタ付き導電路に関するものである。
【背景技術】
【０００２】
特許文献１には、電動車両のモータとインバータ装置との間に三相交流電線からなるワイヤーハーネスを配索し、そのワイヤーハーネスにおけるノイズ対策として、ワイヤーハーネスを編組線で包囲し、編組線の両端をモータのシールドケースとインバータ装置のシールドケースとに接続する技術が記載されている。このように、ワイヤーハーネスを編組線でシールドすれば、モータ、インバータ装置、ワイヤーハーネスから放出されるノイズが、周辺の機器や回路に影響を及ぼすことを防止できる。
【０００３】
しかし、ワイヤーハーネスを編組線で包囲する方法では、インバータ装置で発生した特定周波数帯域のサージノイズを効果的に低減することは難しい。そこで、導電路本体を絶縁層で包囲した３本の被覆電線によって三相交流電線を構成し、絶縁層の外周に導電体を設けることで導電路本体と導電体との間にコンデンサを形成し、さらに、各導電体に個別にインダクタを接続したノイズフィルタが考えられる。このノイズフィルタによれば、コンデンサの静電容量とインダクタのインダクタンスを適宜設定することにより、ＬＣ共振によって特定の周波数帯域のサージノイズを効果的に低減することができる。
【先行技術文献】
【特許文献】
【０００４】
【特許文献１】特開２０１０−１２６０４３号公報
【発明の概要】
【発明が解決しようとする課題】
【０００５】
三相交流電線は３本の被覆電線で構成されるのであるが、車両走行中に３本の被覆電線が振動すると、被覆電線相互間の位置関係や被覆電線と編組線との間の位置関係が不安定になる。これらの位置関係が不安定になると、それらの静電容量の値やインダクタンスの値も不安定になるため、所期のサージ抑制効果を発揮出来なくなる虞がある。
【０００６】
本発明は上記のような事情に基づいて完成されたものであって、ノイズ低減機能の信頼性向上を図ることを目的とする。
【課題を解決するための手段】
【０００７】
本発明は、
複数本の導電路本体を絶縁層で包囲した形態の複数本の被覆導体と、
複数の前記絶縁層の外周に個別に固定して設けられ、前記導電路本体との間に個別にコンデンサを形成する複数の導電体と、
前記複数本の被覆導体を位置決めする位置決め部材とを備えているところに特徴を有する。
【発明の効果】
【０００８】
複数本の被覆導体を位置決め部材によって位置決めしたことにより、被覆導体相互間の位置関係が安定するので、ノイズ低減性能の信頼性が向上する。
【図面の簡単な説明】
【０００９】
【図１】実施例１のノイズフィルタ付き導電路の平面図
【図２】図１のＸ−Ｘ線断面図
【図３】第２位置決め部材の側面図
【発明を実施するための形態】
【００１０】
本発明は、前記複数の導電体に個別に接続した複数のインダクタを備え、前記複数のインダクタが前記位置決め部材に固定されていてもよい。この構成によれば、インダクタと位置決め部材を移送する際等に取扱いが容易となる。
【００１１】
本発明は、前記位置決め部材に形成され、前記被覆導体を保持する複数の保持部と、前記インダクタに形成され、前記被覆導体が前記保持部に保持された状態で前記導電体と接触する接続部とを備えていてもよい。この構成によれば、被覆導体を保持部に保持すると導電体とインダクタが接続状態になるので、導電体とインダクタを接続するための作業が不要である。
【００１２】
本発明は、前記インダクタが、前記接続部を有する接続導体と、前記接続導体を包囲する磁性体コアとを備えて構成されていてもよい。
【００１３】
本発明は、前記インダクタが、隣り合う２本の前記被覆導体の間に配されていてもよい。この構成によれば、隣り合う２本の被覆導体の間のデッドスペースを、インダクタを配置するための空間として有効利用することができる。
【００１４】
＜実施例１＞
以下、本発明を具体化した実施例１を図１〜図３を参照して説明する。本実施例１のノイズフィルタ付き導電路Ａは、電気自動車又はハイブリッド自動車等の電動車両（図示省略）に搭載されたモータ４０とインバータ装置４２との間に配索されるものである。この電動車両において、モータ４０の筐体であるモータケース４１と、インバータ装置４２の筐体であるインバータケース４３と、両ケース４１，４３を接続するシールド層３８は、筐体アース４４を構成している。
【００１５】
ノイズフィルタ付き導電路Ａは、三相交流回路１０を構成するＵ相線１１ｕ（請求項に記載の導電路本体）、Ｖ相線１１ｖ（請求項に記載の導電路本体）、Ｗ相線１１ｗ（請求項に記載の導電路本体）と、サージ低減用のノイズフィルタ１５と、シールド層３８と、第１位置決め部材２０（請求項に記載の位置決め部材）と、第２位置決め部材３０（請求項に記載の位置決め部材）とを備えて構成されている。
【００１６】
Ｕ相線１１ｕ、Ｖ相線１１ｖ及びＷ相線１１ｗは、いずれも、金属（銅、銅合金、アルミニウム、アルミニウム合金等）製の撚り線からなる。Ｕ相線１１ｕの外周とＶ相線１１ｖの外周とＷ相線１１ｗの外周は、夫々、合成樹脂製のＵ相用絶縁被覆１２ｕ（請求項に記載の絶縁層）と合成樹脂製のＶ相用絶縁被覆１２ｖ（請求項に記載の絶縁層）と合成樹脂製のＷ相用絶縁被覆１２ｗ（請求項に記載の絶縁層）によって個別に包囲されている。Ｕ相線１１ｕとＵ相用絶縁被覆１２ｕは１本のＵ相用被覆導体１３ｕ（請求項に記載の被覆導体）を構成し、Ｖ相線１１ｖとＶ相用絶縁被覆１２ｖは１本のＶ相用被覆導体１３ｖ（請求項に記載の被覆導体）を構成し、Ｗ相線１１ｗとＷ相用絶縁被覆１２ｗは１本のＷ相用被覆導体１３ｗ（請求項に記載の被覆導体）を構成する。
【００１７】
Ｕ相線１１ｕ、Ｖ相線１１ｖ及びＷ相線１１ｗは、並行するように配索されている。Ｕ相線１１ｕ、Ｖ相線１１ｖ及びＷ相線１１ｗの一方の端部は、インバータ装置４２のインバータ回路（図示省略）に接続されている。インバータ回路は、シールド機能を有する導電性のインバータケース４３の内部に収容されている。Ｕ相線１１ｕ、Ｖ相線１１ｖ及びＷ相線１１ｗの他方の端部は、モータ４０の巻線（図示省略）に接続されている。巻線は、シールド機能を有する導電性のモータケース４１の内部に収容されている。
【００１８】
ノイズフィルタ１５は、Ｕ相用コンデンサ１７ｕ（請求項に記載のコンデンサ）とＶ相用コンデンサ１７ｖ（請求項に記載のコンデンサ）とＷ相用コンデンサ１７ｗ（請求項に記載のコンデンサ）を備えている。Ｕ相用コンデンサ１７ｕは、Ｕ相用絶縁被覆１２ｕを挟んでＵ相線１１ｕと近接して対向するＵ相用導電体１６ｕ（請求項に記載の導電体）を備えている。Ｕ相用導電体１６ｕは、Ｕ相線１１ｕ及びＵ相用絶縁被覆１２ｕとともにＵ相用被覆導体１３ｕを構成する。
【００１９】
Ｖ相用コンデンサ１７ｖは、Ｖ相用絶縁被覆１２ｖを挟んでＶ相線１１ｖと近接して対向するＶ相用導電体１６ｖ（請求項に記載の導電体）を備えている。Ｖ相用導電体１６ｖは、Ｖ相線１１ｖ及びＶ相用絶縁被覆１２ｖともにＶ相用被覆導体１３ｖを構成する。Ｗ相用コンデンサ１７ｗは、Ｗ相用絶縁被覆１２ｗを挟んでＷ相線１１ｗと近接して対向するＷ相用導電体１６ｗ（請求項に記載の導電体）を備えている。Ｗ相用導電体１６ｗは、Ｗ相線１１ｗ及びＷ相用絶縁被覆１２ｗとともにＷ相用被覆導体１３ｗを構成する。
【００２０】
Ｕ相用導電体１６ｕとＶ相用導電体１６ｖとＷ相用導電体１６ｗは、いずれも、金属（銅、銅合金、アルミニウム、アルミニウム合金等）製のシート状をなしている。これらのＵ相用導電体１６ｕとＶ相用導電体１６ｖとＷ相用導電体１６ｗは、Ｕ相用絶縁被覆１２ｕとＶ相用絶縁被覆１２ｖとＷ相用絶縁被覆１２ｗの外周のうち周方向における一部のみに個別に固着されている。また、これらの導電体１６ｕ，導電体１６ｖ，導電体１６ｗは、夫々、絶縁被覆１２ｕ，絶縁被覆１２ｖ，絶縁被覆１２ｗのほぼ全長に亘って設けられている。
【００２１】
Ｕ相用被覆導体１３ｕは、Ｕ相線１１ｕとＵ相用導電体１６ｕを電極とするＵ相用コンデンサ１７ｕとして機能する。Ｖ相用被覆導体１３ｖは、Ｖ相線１１ｖとＶ相用導電体１６ｖを電極とするＶ相用コンデンサ１７ｖ（請求項に記載のコンデンサ）として機能する。Ｗ相用被覆導体１３ｗは、Ｗ相線１１ｗとＷ相用導電体１６ｗを電極とするＷ相用コンデンサ１７ｗ（請求項に記載のコンデンサ）として機能する。
【００２２】
３本の被覆導体１３ｕ，１３ｖ，１３ｗのモータ４０側の端部は、第１位置決め部材２０と第２位置決め部材３０に保持されることにより、相互間の位置関係が定められている。第１位置決め部材２０は、合成樹脂等の絶縁性を有する材料からなる単一部品である。第１位置決め部材２０は、幅方向（被覆導体１３ｕ，１３ｖ，１３ｗの軸線方向と交差する方向）に間隔を空けた一対の導通用保持部２１（請求項に記載の保持部）と、一対の導通用保持部２１の上端部同士を繋ぐ繋ぎ部２２とを備えて構成されている。各導通用保持部２１には、相手側の導通用保持部２１とは反対側の外側面を円弧状に凹ませた形状の位置決め凹部２３が形成されている。位置決め凹部２３の曲率は、導電体１６ｕ，１６ｖ，１６ｗの外周とほぼ同じ曲率に設定されている。
【００２３】
各導通用保持部２１の下端部のうち相手側の導通用保持部２１と対向する内側面には、軸線を被覆導体１３ｕ，１３ｖ，１３ｗの軸線と略平行に向けた円環形の磁性体コア２４が固着されている。各導通用保持部２１には、導電性を有する接続導体２５がインサート成形等により一体化されている。接続導体２５は、導通用保持部２１に埋設された円弧状の接続部２６と、接続部２６の外周面から延出した屈曲形状の脚部２７とを有する単一部品である。接続部２６の内周面は、位置決め凹部２３の内周面と同じ曲率の曲面であり、位置決め凹部２３の内周面上で面一状に露出している。脚部２７のうち導通用保持部２１の外部に突出した部分は、磁性体コア２４の中心孔２８に挿通されている。
【００２４】
第２位置決め部材３０は、合成樹脂等の絶縁性を有する材料からなる単一部品である。第２位置決め部材３０は、導通用保持部２１（請求項に記載の保持部）と、導通用保持部２１に対し幅方向に間隔を空けて並ぶ非導通用保持部３１（請求項に記載の保持部）と、両保持部２１，３１の上端部同士を繋ぐ繋ぎ部２２とを備えて構成されている。導通用保持部２１には、非導通用保持部３１とは反対側の外側面を円弧状に凹ませた形状の位置決め凹部２３が形成されている。導通用保持部２１の位置決め凹部２３の曲率は、導電体１６ｕ，１６ｖ，１６ｗの外周とほぼ同じ曲率に設定されている。非導通用保持部３１には、導通用保持部２１とは反対側の外側面を円弧状に凹ませた形状の位置決め凹部２３が形成されている。非導通用保持部３１の位置決め凹部２３の曲率は、絶縁被覆１２ｕ，１２ｖ，１２ｗの外周とほぼ同じ曲率に設定されている。
【００２５】
導通用保持部２１の下端部のうち非導通用保持部３１と対向する内側面には、軸線を被覆導体１３ｕ，１３ｖ，１３ｗの軸線と略平行に向けた円環形の磁性体コア２４が固着されている。導通用保持部２１には、導電性を有する接続導体２５がインサート成形等により一体化されている。接続導体２５は、導通用保持部２１に埋設された円弧状の接続部２６と、接続部２６の外周面から延出した屈曲形状の脚部２７とを有する単一部品である。接続部２６の内周面は、位置決め凹部２３の内周面と同じ曲率の曲面であり、位置決め凹部２３の内周面上で面一状に露出している。脚部２７のうち導通用保持部２１の外部に突出した部分は、磁性体コア２４の中心孔２８に挿通されている。
【００２６】
ノイズフィルタ１５は、３つのコンデンサ１７ｕ，１７ｖ，１７ｗの他に、３つのインダクタ３３ｕ，３３ｖ，３３ｗも備えている。Ｕ相用導電体１６ｕのモータ４０側の端部にはＵ相用インダクタ３３ｕ（請求項に記載のインダクタ）が接続され、Ｖ相用導電体１６ｖのモータ４０側の端部にはＶ相用インダクタ３３ｖ（請求項に記載のインダクタ）が接続され、Ｗ相用導電体１６ｗのモータ４０側の端部にはＷ相用インダクタ３３ｗ（請求項に記載のインダクタ）が接続されている。
【００２７】
各インダクタ３３ｕ，３３ｖ，３３ｗは、１つの接続導体２５と、接続導体２５を包囲する１つの磁性体コア２４とから構成されている。Ｕ相用インダクタ３３ｕとＶ相用インダクタ３３ｖは第１位置決め部材２０に一体化されており、Ｗ相用インダクタ３３ｗは第２位置決め部材３０一体化されている。
【００２８】
第１位置決め部材２０に形成されている一対の導通用保持部２１のうち一方の導通用保持部２１の位置決め凹部２３には、Ｕ相用被覆導体１３ｕの端部が嵌合され、他方の導通用保持部２１の位置決め凹部２３には、Ｖ相用被覆導体１３ｖの端部が嵌合される。この導通用保持部２１への嵌合により、Ｕ相用被覆導体１３ｕの端部とＶ相用被覆導体１３ｖの端部が、相互の位置関係を一定に保つ状態に位置決めされる。また、Ｕ相用導電体１６ｕの外周面とＶ相用導電体１６ｖの外周面は、接続導体２５の接続部２６の内周面に面接触している。これにより、Ｕ相用インダクタ３３ｕの一方の端部がＵ相用コンデンサ１７ｕに接続され、Ｖ相用インダクタ３３ｖの一方の端部がＶ相用コンデンサ１７ｖに接続される。
【００２９】
第２位置決め部材３０の非導通用保持部３１の位置決め凹部２３には、上記Ｖ相用被覆導体１３ｖの端部が嵌合されている。Ｖ相用被覆導体１３ｖが第１位置決め部材２０と第２位置決め部材３０との間で幅方向に挟まれた状態となる。また、第２位置決め部材３０の導通用保持部２１の位置決め凹部２３には、Ｗ相用被覆導体１３ｗの端部が嵌合されている。これにより、Ｗ相用被覆導体１３ｗの端部が、Ｕ相用被覆導体１３ｕの端部及びＶ相用被覆導体１３ｖの端部に対し、相互の位置関係を一定に保つ状態に位置決めされる。また、Ｗ相用導電体１６ｗの外周面を接続導体２５の接続部２６の内周面に面接触させると、Ｗ相用インダクタ３３ｗの一方の端部がＷ相用コンデンサ１７ｗに接続される。
【００３０】
上記のように組み付けた第１位置決め部材２０と第２位置決め部材３０と３本の被覆導体１３ｕ，１３ｖ，１３ｗの端部は、粘着テープや結束バンド等の結束部材３４により離脱を規制された状態に一体化される。これにより、Ｕ相用コンデンサ１７ｕとＶ相用コンデンサ１７ｖとＷ相用コンデンサ１７ｗが一体化され、３つのコンデンサ１７ｕ，１７ｖ，１７ｗの端部の相互間の位置関係が一定となる。また、Ｕ相用インダクタ３３ｕとＶ相用インダクタ３３ｖとＷ相用インダクタ３３ｗも一体化され、３つのインダクタ３３ｕ，３３ｖ，３３ｗ相互間の位置関係も一定となる。
【００３１】
さらに、Ｕ相用インダクタ３３ｕにおけるＵ相用コンデンサ１７ｕと反対側の端部と、Ｖ相用インダクタ３３ｖにおけるＶ相用コンデンサ１７ｖと反対側の端部は、双方の脚部２７の先端部同士の間に配線した被覆電線３５により、導通される。また、Ｖ相用インダクタ３３ｖにおけるＶ相用コンデンサ１７ｖと反対側の端部と、Ｗ相用インダクタ３３ｗにおけるＷ相用コンデンサ１７ｗと反対側の端部も、双方の脚部２７の先端部同士の間に配線した被覆電線３６により、導通される。これにより、３つのインダクタ３３ｕ，３３ｖ，３３ｗがスター結線されている。さらに、３つのインダクタ３３ｕ，３３ｖ，３３ｗは、Ｗ相用インダクタ３３ｗの脚部２７に接続した筐体接続線３７によりモータケース４１（筐体アース４４）に接続されている。
【００３２】
シールド層３８は、例えば、編組線等からなる金属製の筒状部材である。シールド層３８の一方の端部は、モータ４０の近傍に位置し、モータケース４１に導通可能に接続されている。シールド層３８の他方の端部は、インバータ装置４２の近傍に位置し、インバータケース４３に導通可能に接続されている。そして、シールド層３８で包囲された空間は、シールド空間となっている。シールド層３８は、３本の被覆導体１３ｕ，１３ｖ，１３ｗと２つの位置決め部材２０，３０を一括して包囲している。
【００３３】
本実施例１のノイズフィルタ付き導電路Ａは、３本の導電路本体（Ｕ相線１１ｕ、Ｖ相線１１ｖ及びＷ相線１１ｗ）を絶縁層（Ｕ相用絶縁被覆１２ｕ、Ｖ相用絶縁被覆１２ｖ及びＷ相用絶縁被覆１２ｗ）で個別に包囲した形態の３本の被覆導体（Ｕ相用被覆導体１３ｕ、Ｖ相用被覆導体１３ｖ、Ｗ相用被覆導体１３ｗ）を備えている。各被覆導体１３ｕ，１３ｖ，１３ｗの外周には、導電路本体（Ｕ相線１１ｕ、Ｖ相線１１ｖ及びＷ相線１１ｗ）との間に個別にコンデンサ（Ｕ相用コンデンサ１７ｕ、Ｖ相用コンデンサ１７ｖ、Ｗ相用コンデンサ１７ｗ）を形成する３つの導電体（Ｕ相用導電体１６ｕ、Ｖ相用導電体１６ｖ、Ｗ相用導電体１６ｗ）が固定して設けられている。
【００３４】
そして、コンデンサ１７ｕ，１７ｖ，１７ｗを含む３本の被覆導体１３ｕ，１３ｖ，１３ｗのモータ４０側の端部は、２つの位置決め部材２０，３０に取り付けられることにより、相互間の相対変位を規制された状態に位置決めされている。位置決め部材２０，３０で位置決めしたことにより、被覆導体１３ｕ，１３ｖ，１３ｗ相互間の位置関係と、これらの静電容量の値やインダクタンスの値が安定するので、サージノイズ出現の要因となる周波数成分が一定となる。コンデンサ１７ｕ，１７ｖ，１７ｗの静電容量やインダクタ３３ｕ，３３ｖ，３３ｗのインダクタンスは、この周波数に対応して設定されている。これにより、コンデンサ１７ｕ，１７ｖ，１７ｗとインダクタ３３ｕ，３３ｖ，３３ｗによる所期のサージ抑制効果が発揮される。尚、シールド層３８が被覆導体１３ｕ，１３ｖ，１３ｗに対して固定して設けられている場合には、被覆導体１３ｕ，１３ｖ，１３ｗとシールド層３８との間の位置関係が安定するので、上記と同様にサージ抑制効果が発揮される。
【００３５】
尚、コンデンサ１７ｕ，１７ｖ，１７ｗの静電容量は、導電体１６ｕ，１６ｖ，１６ｗの長さ、導電体１６ｕ，１６ｖ，１６ｗと導電路本体（Ｕ相線１１ｕ、Ｖ相線１１ｖ、Ｗ相線１１ｗ）との対応面積、導電体１６ｕ，１６ｖ，１６ｗと導電路本体（Ｕ相線１１ｕ、Ｖ相線１１ｖ、Ｗ相線１１ｗ）との距離、Ｕ相用絶縁被覆１２ｕ、Ｖ相用絶縁被覆１２ｖ、Ｗ相用絶縁被覆１２ｗの材質等を適宜選択することによって任意に設定することができる。また、インダクタ３３ｕ，３３ｖ，３３ｗのインダクタンスは、磁性体コア２４の材料や大きさ等を変えることによって任意に設定することができる。これらの設定により、ＬＣ共振によって特定の周波数帯域のサージノイズを効果的に低減することができる。
【００３６】
また、ノイズフィルタ付き導電路Ａは、３つの導電体１６ｕ，１６ｖ，１６ｗに個別に接続した複数のインダクタ３３ｕ，３３ｖ，３３ｗを備えており、３つのインダクタ３３ｕ，３３ｖ，３３ｗが位置決め部材２０，３０に固定されている。この構成によれば、インダクタ３３ｕ，３３ｖ，３３ｗと位置決め部材２０，３０を移送する際等に取扱いが容易となる。
【００３７】
また、位置決め部材２０，３０には、被覆導体１３ｕ，１３ｖ，１３ｗを位置決め状態で保持する複数の保持部２１，３１が形成され、インダクタ３３ｕ，３３ｖ，３３ｗには、被覆導体１３ｕ，１３ｖ，１３ｗが保持部２１，３１に保持された状態で導電体１６ｕ，１６ｖ，１６ｗと接触する接続部２６が形成されている。この構成によれば、被覆導体１３ｕ，１３ｖ，１３ｗを保持部２１，３１に保持すると導電体１６ｕ，１６ｖ，１６ｗとインダクタ３３ｕ，３３ｖ，３３ｗが接続状態になるので、導電体１６ｕ，１６ｖ，１６ｗとインダクタ３３ｕ，３３ｖ，３３ｗを接続するための作業が不要である。
【００３８】
また、モータ４０側の端子台（図示省略）は、短絡防止等の理由により、幅方向に間隔を空けて配置されている。そのため、被覆導体１３ｕ，１３ｖ，１３ｗのモータ４０側の端部の、幅方向に間隔を空けて配索されることになる。この幅方向に隣り合う被覆導体１３ｕ，１３ｖ，１３ｗ同士の間の空間はデッドスペースとなっている。この点に着目し、本実施例では、インダクタ３３ｕ，３３ｖ，３３ｗを、隣り合う２本の被覆導体１３ｕ，１３ｖ，１３ｗの間に配置している。つまり、隣り合う２本の被覆導体１３ｕ，１３ｖ，１３ｗの間のデッドスペースを、インダクタ３３ｕ，３３ｖ，３３ｗを配置するための空間として有効利用している。
【００３９】
＜他の実施例＞
本発明は上記記述及び図面によって説明した実施例に限定されるものではなく、例えば次のような実施例も本発明の技術的範囲に含まれる。
（１）上記実施例では、コンデンサとインダクタの両方が位置決め部材によって位置決めされているが、コンデンサだけを位置決めしてもよい。
（２）上記実施例では、導電路本体が可撓性を有する円形断面の撚り線であるが、導電路本体は、容易に変形しないバスバーや、複数本の電線を並行配置したフラットケーブル等であってもよい。
（３）上記実施例では、導電路を構成する被覆導体の本数が３本であるが、導電路を構成する被覆導体の本数は、２本でもよく、４本以上でもよい。
（４）上記実施例では、３本の被覆導体が三相交流回路を構成するものであったが、本発明は、三相交流回路以外の回路にも適用できる。
（５）上記実施例では、導電体が、導電路本体の外周に対し周方向における一部の領域のみと対応する形態であるが、導電体は導電路本体に対し全周に亘って包囲する形態であってもよい。
（６）上記実施例では、インダクタがフェライトコア等の磁性体コアを含むものであるが、インダクタは金属製の単芯線や撚り線をコイル状に成形したものであってもよい。
（７）上記実施例では、インダクタを隣り合う２本の被覆導体の間に配置したが、インダクタは隣り合う２本の被覆導体に対して三角形の頂点を構成する位置に配置されていてもよい。
（８）上記実施例では、筐体接続線をモータケースに接続したが、筐体接続線は、モータケースではなく、車両ボディに、直接、接続してもよい。
（９）上記実施例では、インダクタがシールド層の内部に収容されているが、インダクタは、シールド層の外部に配置してもよい。
（１０）上記実施例では、複数本の導電路本体をシールド層により一括して包囲したが、このようなシールド層を設けない形態であってもよい。
（１１）上記実施例では、３つのインダクタがスター結線されているが、インダクタはデルタ結線してもよい。
（１２）上記実施例では、インダクタをモータ側のみに配置し、そのインダクタをモータケースのみに接続したが、モータ側のインダクタの他に、インバータ装置側にもインダクタを設け、そのインバータ装置側に設けたインダクタをインバータケースに接続してもよい。
（１３）上記実施例では、各導電体を金属製のシート状としたが、導電体は、筒状又はテープ状の金属箔、編組線、金属製のバスバー、金属製の撚り線、金属製の単芯線、芯材の表面にメッキ処理したもの、導電性樹脂、導電性ゴム等であってもよい。
（１４）上記実施例では、ノイズフィルタ付き導電路本体が、モータとインバータ装置との間に配索されるものであったが、本発明は、モータやインバータ装置以外の機器に接続される場合にも適用できる。
【符号の説明】
【００４０】
Ａ…ノイズフィルタ付き導電路
１１ｕ…Ｕ相線（導電路本体）
１１ｖ…Ｖ相線（導電路本体）
１１ｗ…Ｗ相線（導電路本体）
１２ｕ…Ｕ相用絶縁被覆（絶縁層）
１２ｖ…Ｖ相用絶縁被覆（絶縁層）
１２ｗ…Ｗ相用絶縁被覆（絶縁層）
１３ｕ…Ｕ相用被覆導体（被覆導体）
１３ｖ…Ｖ相用被覆導体（被覆導体）
１３ｗ…Ｗ相用被覆導体（被覆導体）
１６ｕ…Ｕ相用導電体（導電体）
１６ｖ…Ｖ相用導電体（導電体）
１６ｗ…Ｗ相用導電体（導電体）
１７ｕ…Ｕ相用コンデンサ（コンデンサ）
１７ｖ…Ｖ相用コンデンサ（コンデンサ）
１７ｗ…Ｗ相用コンデンサ（コンデンサ）
２０…第１位置決め部材（位置決め部材）
２１…導通用保持部（保持部）
２４…磁性体コア
２５…接続導体
２６…接続部
３０…第２位置決め部材（位置決め部材）
３１…非導通用保持部（保持部）
３３ｕ…Ｕ相用インダクタ（インダクタ）
３３ｖ…Ｖ相用インダクタ（インダクタ）
３３ｗ…Ｗ相用インダクタ（インダクタ）
【図１】
0006631386.tif 000002
【図２】
0006631386.tif 000003
【図３】
0006631386.tif 000004